(57)【要約】      （修正有）【課題】建設現場や路上走行中に発生する、ガイのクレーンブームからの外れ、あるいは、損傷を確実に防止できるブームのガイ支持部の保持方法を提供すること。【解決手段】長手方向に直線状又は略直線状に延びるブーム本体と、クレーンブームのガイ支持部を配置するための少なくとも１つのトレイ部材とを備えるクレーンブームに関し、このトレイ部材は、ブーム本体から突出した配置位置を取る、及び／又は、配置位置に導かれるようにように構成される。【選択図】図３ａ
2018127360.tif 000002
【特許請求の範囲】
【請求項１】
クレーンブーム（１０）であって、
長手方向に直線状又は略直線状に延びるブーム本体と、
前記クレーンブーム（１０）のガイ支持部（３０）を配置するための少なくとも１つのトレイ部材（２０）とを備え、
前記トレイ部材（２０）は、前記ブーム本体から突出した配置位置を取るように構成される
ことを特徴とするクレーンブーム。
【請求項２】
請求項１に記載のクレーンブーム（１０）において、
前記トレイ部材（２０）は、さらに前記ブーム本体に近接する解除位置を取るように構成される
ことを特徴とするクレーンブーム。
【請求項３】
請求項１又は２に記載のクレーンブーム（１０）において、
前記トレイ部材（２０）は、長手方向において前記ガイ支持部（３０）の後方又は中央部分に位置付けられる
ことを特徴とするクレーンブーム。
【請求項４】
請求項１から３のいずれか１つに記載のクレーンブーム（１０）において、
前記トレイ部材（２０）は、前記ブーム本体に回動可能に設けられ、
前記回動可能なトレイ部材（２０）における回動軸（２１）は、好ましくは、ブーム本体の長手軸に平行に延びている
ことを特徴とするクレーンブーム。
【請求項５】
請求項１から４のいずれか１つに記載のクレーンブーム（１０）において、
前記トレイ部材（２０）は、ガイ支持部（３０）における位置決め手段（３１）、好ましくは、センタリングピンを収容するための凹部（２２）、又はアンダーカットを有する平行なストッパを含む
ことを特徴とするクレーンブーム。
【請求項６】
請求項１から５のいずれか１つに記載のクレーンブーム（１０）において、
前記ブーム本体は、好ましくは、それぞれブーム本体の長手方向に平行に延びる回動軸（２１）を中心に回動可能な２つのトレイ部材（２０）を備える
ことを特徴とするクレーンブーム。
【請求項７】
請求項６に記載のクレーンブーム（１０）において、
前記２つのトレイ部材（２０）は、前記ブーム本体における互いに対向する長手方向の辺にそれぞれ設けられる
ことを特徴とするクレーンブーム。
【請求項８】
請求項１から７のいずれか１つに記載のクレーンブーム（１０）において、
前記クレーンブーム（１０）は、伸縮可能なブームであり、
前記ブーム本体は、ピン結合部（１１）を有し、該ピン結合部（１１）から伸縮部（１２，１３，１４，１５）が伸張可能であり、
好ましくは、前記ピン結合部（１１）は、前記クレーンブーム（１０）にガイを張るためのガイ支持部（３０）に接続部（３３）を有する
ことを特徴とするクレーンブーム。
【請求項９】
請求項１から８のいずれか１つに記載のクレーンブーム（１０）を備えるクレーン（１００）において、
前記クレーンブーム（１０）は、そのラフィング動作により、ラフィング面を規定し、前記トレイ部材（２０）がその配置位置において前記ラフィング面に対して垂直に突出する
ことを特徴とするクレーン。
【請求項１０】
請求項９に記載のクレーン（１００）において、
前記クレーンブーム（１０）は、クレーンブーム（１０）における、互いに対向する辺にそれぞれ設けられる２つのトレイ部材（２０）を備え、
前記２つのトレイ部材（２０）は、好ましくは、従来の方法で前記ラフィング面にそれぞれ接続される
ことを特徴とするクレーン。
【請求項１１】
請求項９又は１０に記載のクレーン（１００）において、
さらに、前記クレーンブーム（１０）において互いに略平行に折り畳まれた位置から直立の作動位置へ回動可能、特にＶ字状に展開可能なように回動可能な接続部（３３）を介して前記クレーンブーム（１０）、好ましくは、ピン結合部（１１）の端部領域（１６）に接続される２つのガイ支持部（３０）を備え、
前記ガイ支持部（３０）は、前記クレーンブーム（１０）が折り畳まれた位置において、前記回動可能な接続部（３３）及びそれに対応した向きのトレイ部材（２０）によって前記クレーンブーム（１０）に接続される
ことを特徴とするクレーン。
【請求項１２】
請求項９〜１１のいずれか１つに記載のクレーン（１００）であって、
各ガイ支持部（３０）は、前記ガイ支持部（３０）が折り畳まれた位置にあるとき、前記クレーンブーム（１０）から突出した前記トレイ部材（２０）の凹部（２２）に係合し、前記ガイ支持部（３０）が横方向に外れるのを防止するように構成された位置決め手段（３１）、好ましくは、センタリングピンを備える
ことを特徴とするクレーン。
【請求項１３】
請求項１〜８のいずれか１つに記載のクレーンブーム（１０）に前記ガイ支持部（３０）を取り付ける方法、又は請求項９〜１２のいずれか１つに記載のクレーン（１００）において、クレーンブーム（１０）に前記ガイ支持部（３０）を取り付ける方法であって、
前記ガイ支持部（３０）は、前記クレーンブーム（１０）が倒伏状態にあるとき、平行かつ、同じ高さで長手方向両側において前記クレーンブーム（１０）に隣接して設けられるように、前記クレーン（１００）の下部走行体（４０）上に配置され、
前記ガイ支持部（３０）は、それぞれ、前記ガイ支持部（３０）における前記クレーンブーム（１０）から突出した作動位置を実現する、回動可能な接続部（３３）を介して前記クレーンブーム（１０）に接続され、
前記ガイ支持部（３０）の各トレイ部材（２０）は、前記ガイ支持部（３０）が横方向に外れるのを防ぐために前記ガイ支持部（３０）の位置決め手段（３１）が前記トレイ部材（２０）と協働するように、前記クレーンブーム（１０）から突出した配置位置へ移動する
ことを特徴とするガイ支持部（３０）のクレーンブーム（１０）への取付方法。
【請求項１４】
請求項１３に記載の方法であって、
前記ガイ支持部（３０）には伸縮可能な搭載支持部（３２）が設けられ、該方法において、さらに、
前記伸縮可能な搭載支持部（３２）は、前記クレーン（１００）の下部走行体（４０）に配置されるように延出し、
前記ガイ支持部（３０）における前記クレーンブーム（１０）との回動可能な接続部（３３）を形成した後、前記ガイ支持部（３０）は、前記回動可能な接続部（３３）によって、前記クレーンブーム（１０）から作動位置方向へ回動され、前記接続部を形成するために、前記クレーンブーム（１０）は、好ましくは、倒伏位置に位置し、前記トレイ部材（２０）は近接位置にあり、
前記延出した搭載支持部（３２）が前記ガイ支持部（３０）において摺動し、
前記ガイ支持部（３０）の前記各トレイ部材（２０）は、その配置位置へ移動し、
前記ガイ支持部（３０）は、好ましくは、位置決め手段（３１）が各ガイ支持部（３０）において前記トレイ部材（２０）と協働して、前記ガイ支持部（３０）が横方向に回動するのを防ぐように、各ガイ支持部（３０）を対応するトレイ部材（２０）上に配置するために、前記回動可能な接続部（３３）によって、前記クレーンブーム（１０）からその作動位置方向へ回動した状態から戻るように回動する
ことを特徴とするガイ支持部（３０）のクレーンブーム（１０）への取付方法。
【請求項１５】
請求項１３又は１４に記載の方法において、
前記ガイ支持部（３０）における、前記クレーン（１００）の前記下部走行体（４０）上への配置は、下部走行体（４０）上に前記ガイ支持部（３０）が配置される該クレーン（１００）における前記クレーンブーム（１０）によって行われ、好ましくは、
前記クレーンブーム（１０）との回動可能な接続部（３３）を形成するために前記クレーンブーム（１０）が全倒伏位置へ倒伏するとき、前記トレイ部材（２０）は、前記クレーンブーム（１０）において、前記クレーンブーム（１０）に近接する解除位置を取る
ことを特徴とするガイ支持部（３０）のクレーンブーム（１０）への取付方法。
【発明の詳細な説明】
【技術分野】
【０００１】
本発明は、クレーンブーム、そのクレーンブームを備えるクレーン、及びガイ支持部のクレーンブームへの取付方法に関する。このクレーンは、例えば、水平軸を中心に起伏可能かつ垂直軸を中心に旋回可能なクレーンブームを備える移動式クレーンであってもよい。クレーンブームには、２つのガイ支持部が設けられ、これらは互いに略平行となるように折り畳まれた搬送位置から、直立の作動位置へ回動可能なように、特にＶ字状に展開可能なように、クレーンブームに回動可能に搭載される。本発明は、さらに、ガイ支持部のクレーンブームへの取付方法に関する。
【背景技術】
【０００２】
従来技術から、クレーンブームにガイを張れば、クレーンブームと協働して最大吊上荷重に関して有利になることは公知であった。そのために、クレーンブームには、クレーンブームからＶ字状に突出し、その反クレーンブーム側端部からガイロープをブームヘッド方向へ引っ張るガイ支持部が設けられる。これにより、ブームに力が加えられ、また真っ直ぐになり、より大きな最大荷重を吊り上げることができる。このとき、ガイ支持部がピン結合されるピン結合部から複数のブーム部が伸張可能となっている伸縮ブームがブームとしてよく使用される。
【先行技術文献】
【特許文献】
【０００３】
【特許文献１】欧州特許第１３４２６９２号公報
【発明の概要】
【発明が解決しようとする課題】
【０００４】
特許文献１には、従来より公知である、ガイ支持部を補助クレーンなしでクレーンブームに搭載できる移動式クレーンが記載されている。そのために、ガイ支持部は、クレーンの下部走行体に固定されたブラケット上に配置され、ボルトを介して伸縮ブームに支持される。この状態で、移動式クレーンは、建設現場に移動でき、必要に応じてガイ支持部を装備できる。しかしここで問題となるのが、建設現場や路上走行中に、下部走行体における避けられない撓みがガイに伝達され、損傷に繋がるおそれがあることである。また、従来技術より公知の移動式クレーンにおいては、カーブ走行時などにガイ支持部がクレーンブームから外れるのを防止する、ガイ支持部における特有の回動安全装置が必要となる。
【０００５】
本発明の目的は、自己装備能力、つまり移動式クレーンがガイ支持部を補助クレーンなしで取り付ける能力を保持しながら、前述のデメリットを克服することにある。これは、請求項１におけるすべての特徴を有するクレーンブームによって達成される。また、請求項９におけるすべての特徴を有するクレーンによっても達成される。
【課題を解決するための手段】
【０００６】
この課題を解決するために本発明におけるクレーンブームは、長手方向に直線状又は略直線状に延びるブーム本体と、前記クレーンブームのガイ支持部を配置するための少なくとも１つのトレイ部材とを備える。このクレーンブームにおいて、前記トレイ部材は、前記ブーム本体から突出した配置位置を取る、及び／又は、配置位置に導かれるように構成されることを特徴とする。
【０００７】
本発明におけるクレーンブームによれば、従来技術において移動式クレーンの下部走行体に固定された搭載支持部上に設けられるガイ支持部をクレーンブーム自体に支持できる。
【０００８】
好ましくは、前記トレイ部材は、さらに、前記ブーム本体に近接する解除位置を取るように構成される。トレイ部材が様々な位置を取ることができることで、このクレーンブームを備えるクレーンは、下部走行体上に配置されるガイ支持部を自ら装備でき、それでもなお、ガイ支持部を、クレーンブームに接続されたトレイ部材上に配置できる状態を達成できる。
【０００９】
本発明のさらなる選択的な変形例によれば、前記トレイ部材は、ブーム本体における長手方向中央部分に位置付けられる。前記ブーム本体は、所定の延長部を備え、このとき、前記トレイ部材は、前記ガイ支持部における後側又は中央部分に設けられる。このことにより、ガイ支持部を、通常の固定部と共存するようにブーム本体に配置できる。
【００１０】
本発明の一態様によれば、前記トレイ部材は、前記ブーム本体に回動可能に設けられ、好ましくは、前記回動可能なトレイ部材における回動軸は、ブーム本体の長手軸に略平行に延びている。
【００１１】
このように回動できることにより、ガイ支持部が支持を行えるよう、確実に簡単かつ素早くガイ支持部をクレーンブームに搭載できる。
【００１２】
ここで、前記トレイ部材は、ガイ支持部における位置決め手段、好ましくは、センタリングピンを収容するための凹部を含む。また、このとき、前記トレイ部材が位置決め手段を有し、トレイ部材の凹部がガイ支持部に設けられるように構成されてもよい。位置決め手段と凹部とが協働することにより、トレイ部材上に配置可能なガイ支持部が横方向に滑る、及び／又は回動するのを防止できる。このとき、位置決め手段と凹部との協働及び係合は、クレーンの下部走行体の耐性や撓みとは関係なく行われる。
【００１３】
前記位置決め手段は、ガイ支持部及びトレイ部材に対して平行なストッパを含んでもよい。
【００１４】
本発明の好適な変形例によれば、前記ブーム本体は、好ましくは、それぞれブーム本体の長手方向に平行に延びる回動軸を中心に回動可能な２つのトレイ部材を備える。２つのトレイ部材を設けることにより、ＴＹガイに必要な２つのガイ支持部をクレーンブームに固定することができる。
【００１５】
このとき、これら２つのトレイ部材は、ブーム本体における互いに対向する長手方向の辺にそれぞれ設けられてもよい。
【００１６】
本発明のさらなる態様によれば、前記クレーンブームは、伸縮可能なブームであり、前記ブーム本体は、ピン結合部を有し、そこから伸縮部が伸張可能であり、好ましくは、前記ピン結合部は、前記クレーンブームにガイを張るためのガイ支持部に接続部を有する。
【００１７】
本発明はさらに、前記の変形例のいずれか１つに記載のクレーンブームを備えるクレーンに関し、前記クレーンブームは、そのラフィング動作により、ラフィング面を規定し、前記トレイ部材がその配置位置において前記ラフィング面に対して、垂直に突出している。
【００１８】
本発明の選択的な一態様によれば、前記クレーンは、前記クレーンブームにおける、互いに対向する辺にそれぞれ設けられる２つのトレイ部材を備え、前記２つのトレイ部材は、好ましくは、従来の方法でラフィング面にそれぞれ接続される。
【００１９】
前記クレーンは、さらに、前記クレーンブームにおいて２つのガイ支持部を備え、これら２つのガイ支持部は、互いに略平行に折り畳まれた位置から直立の作動位置へ回動可能、特にＶ字状に展開可能なように、回動可能な接続部を介して前記クレーンブーム、好ましくは、ピン結合部の端部領域に接続される。前記ガイ支持部は、前記クレーンブームにおいて折り畳まれた位置において、前記回動可能な接続部及びそれに対応した向きのトレイ部材によって前記クレーンブームに接続される。
【００２０】
本発明のさらなる態様によれば、各ガイ支持部は、前記ガイ支持部が折り畳まれた位置にあるとき、前記クレーンブームから突出した前記トレイ部材の凹部に係合し、前記ガイ支持部が横方向に外れるのを防止し、所定の位置に導くように構成された位置決め手段、好ましくは、センタリングピンを備える。
【００２１】
さらに、本発明は、クレーンブームにガイ支持部を取り付ける方法に関し、該方法において、前記ガイ支持部は、前記クレーンブームが倒伏状態にあるとき、平行かつ、同じ高さで長手方向両側において前記クレーンブームに隣接して設けられるように、前記クレーンの下部走行体上に配置され、前記ガイ支持部は、それぞれ、前記ガイ支持部における前記クレーンブームから突出した作動位置を実現する、回動可能な接続部を介して前記クレーンブームに接続され、前記ガイ支持部の各トレイ部材は、前記ガイ支持部が横方向に外れるのを防ぐために前記ガイ支持部の位置決め手段が前記トレイ部材と協働するように、前記クレーンブームから突出した配置位置へ移動する。
【００２２】
また、前記ガイ支持部には伸縮可能な搭載支持部が設けられ、本方法において、さらに、前記伸縮可能な搭載支持部は、前記クレーンの下部走行体に設置される際に延出し、前記ガイ支持部における前記クレーンブームとの回動可能な接続部を形成した後、前記ガイ支持部は、前記回動可能な接続部によって、前記クレーンブームから作動位置方向へ回動され、前記接続部を形成するために、前記クレーンブームは、好ましくは、倒伏位置に位置し、前記トレイ部材は近接位置にあり、前記延出した搭載支持部が前記ガイ支持部において摺動し、前記ガイ支持部の各トレイ部材は、その配置位置へ移動し、前記ガイ支持部は、好ましくは、位置決め手段が各ガイ支持部において前記トレイ部材と協働して、前記ガイ支持部が横方向に揺動するのを防ぐように、各ガイ支持部を対応するトレイ部材上に配置するために、前記回動可能な接続部によって、前記クレーンブームからその作動位置方向へ揺動した状態から戻るように揺動してもよい。
【００２３】
本方法の選択的な変形例によれば、前記ガイ支持部における、前記クレーンの前記下部走行体上への配置は、下部走行体上に前記ガイ支持部が配置される該クレーンにおける前記クレーンブームによって行われ、好ましくは、前記クレーンブームとの回動可能な接続部を形成するために前記クレーンブームが全倒伏位置へ倒伏するとき、前記トレイ部材は、前記クレーンブームにおいて、前記クレーンブームに近接する解除位置を取る。
【００２４】
近接位置において、トレイ部材は、ラフィング面に対して垂直な方向に配置位置よりも短く延びている。
【００２５】
本発明のさらなる特徴、詳細及び効果は、以下に記載の図面の説明を参照することにより明らかとなる。
【図面の簡単な説明】
【００２６】
【図１】図１は、本発明に係るクレーンを示す側面図である。
【図２ａ】図２ａは、ガイ支持部が第１の状態のクレーンブームを示す側面図である。
【図２ｂ】図２ｂは、ガイ支持部が第２の状態のクレーンブームを示す側面図である。
【図２ｃ】図２ｃは、搬送位置及び搭載・作動位置におけるガイロッドを示すクレーンブームの側面図である。
【図３ａ】図３ａは、第１の状態におけるクレーンブームの断面図である。
【図３ｂ】図３ｂは、第２の状態におけるクレーンブームの断面図である。
【図４】図４は、ガイ支持部と協働する直前のクレーンブームのトレイ部材の詳細図である。
【図５】図５は、ガイ支持部と協働しているときのトレイ部材の詳細図である。
【図６】図６は、先行技術から公知の移動式クレーンの概略図である。
【図７】図７は、先行技術から公知の移動式クレーンの断面をそれぞれ示す２つの概略図である。
【発明を実施するための形態】
【００２７】
図６及び図７は先行技術を示す。図１に記載の移動式クレーン１００は、公知のように、自動車のフレームに搭載され、垂直軸を中心に旋回可能な上部旋回体５０を有する。上部旋回体５０には、ピン結合部１１及びそこから伸張可能な伸縮部１２，１３，１４，１５を組み合わせてなり、水平軸を中心に起伏可能な伸縮ブーム１０がピン結合される。ピン結合部１１の端部領域（鍔部）１６には、２つのガイ支持部３０がピン結合可能となっている。ガイ支持部３０におけるピン結合部１１と反対側の端部には、ブームベッドに到達する引張ロープを導くためのプーリが設けられる。このとき、ガイ支持部３０は、回動可能な接続部３３を介してピン結合部１１に接続される。図６に、ガイ支持部３０がブーム１０によって移動式クレーン１００の下部走行体４０上に配置される異なる２つのブームの状態を示す。そのために、下部走行体４０には、ガイ支持部３０を支持するためのブラケット４１が設けられる。
【００２８】
図７は、両ガイ支持部３０がブラケット４１を介して下部走行体４０に設けられる様子をそれぞれ示す断面図である。ここでは、ガイ支持部３０は、倒伏状態のクレーンブーム１０が両ガイ支持部３０の間に位置するように、下部走行体４０に設けられる。このような構成において生じる問題については、本明細書の導入部分においてすでに説明した通りである。
【００２９】
図１に、本発明におけるクレーンブーム１０を備える移動式クレーン１００を示す。ここでは、倒伏状態のクレーンブーム１０に対して横方向に隣接して設けられるガイ支持部３０についても、下部走行体４０に固定されたブラケット４１上に配置されてもよい。クレーンブーム１０は、さらに、トレイ部材２０を備える。
【００３０】
図２ａに、ガイ支持部３０が、下部走行体４０に固定されたブラケット４１に配置された状態を示す。ここで、ガイ支持部３０とは独立してクレーンブーム１０が動作可能なように、いわゆる搭載支持部３２がガイ支持部３０から延出している。このように、クレーンブーム１０は起立する一方、ガイ支持部３０は別個の低い低荷台上に配置されてもよい。このとき、クレーンブーム１０に設けられるトレイ部材２０は、トレイ部材２０がブーム本体に近接する解除位置にある。この近接状態において、クレーンブーム１０は、トレイ部材２０を、倒伏状態のクレーンブーム１０に対して横方向に隣接するガイ支持部３０に接触させることなく、起立できる。
【００３１】
図２ｂは、倒伏位置にあるクレーンブーム１０をさらに横方向から示した図であるが、図２ａとは異なり、トレイ部材２０がクレーンブーム１０から突出した配置位置にあることが分かる。トレイ部材２０がこの位置にあるときは、クレーンブーム１０は、横方向にずれて設けられるガイ支持部３０に接触せずに起立できない。さらに、搭載支持部３２は、下部走行体４０に設けられるブラケット４１に接触しないよう、後退した状態にあることが分かる。同図においては、ガイ支持部３０は、クレーンブーム１０にのみ固定され、２つの頂点がクレーンブーム１０の起立に合わせて動く。下部走行体４０の歪みによって、下部走行体４０に起因し得る荷重は、ブラケット４１からガイ支持部３０に伝達されない。参照符号３３は、回動可能な接続部を示し、この接続部３３により、ガイ支持部３０がクレーンブーム１０から、展開した作動位置に導かれる。そのためには、通常油圧シリンダが用いられる。
【００３２】
図２ｃを参照して、ガイロッドの搭載方法を説明する。搬送位置（矢印で示す位置）において、ロッド５０とロッド５１との接続部５２が解除され、ロッド５０は回動した搬送位置に位置する。ガイ支持部３０をトレイ部材２０上に配置した後、ロッド５０とロッド５１との正確な接続位置（接続部５２）が同時に規定される（図２ｃの搭載・作動位置ｂ参照）。
【００３３】
図３ａは、図２ａのＡ−Ａ線における概略断面図である。ここには、クレーンブーム１０と、その片側において回動可能にピン結合されるトレイ部材２０とが示されている。トレイ部材２０は、この図では解除位置にある、つまり、クレーンブーム１０に近接している。このように、クレーンブーム１０は、ガイ支持部３０とは独立して動作可能である。例えば、クレーンブーム１０を用いて、ガイ支持部３０を別個の低荷台上に載置してもよい。さらに、ガイ支持部３０の底部には、ガイ支持部３０をクレーンブーム１０に対して位置決めするための位置決め手段３１が示されている。ここで、この位置決め手段３１は、トレイ部材２０の凹部（図示しない）と係合すると同時に、ガイ支持部３０が横方向に回動するのを防止する。
【００３４】
図３ｂは、図２ｂのＢ−Ｂ線における概略断面図である。ここには、トレイ部材２０がクレーンブーム１０から突出した配置位置にあることが示されている。そのために、トレイ部材２０は、回動軸２１を中心に上方に回動し、ガイ支持部３０の位置決め手段３１と協働するようになる。また、図２ｂに示される搭載支持部３２が後退位置へ移動するため、ガイ支持部３０は、一方は回動可能な接続部３３を介して、他方はトレイ部材２０を介して、クレーンブーム１０にのみ保持されるようになる。このとき、簡単なボルト接続によって、トレイ部材２０は、回動軸２１を中心として回動可能に構成されてもよい。
【００３５】
図４に、ガイ支持部３０の位置決め手段３１と協働する直前のトレイ部材２０を有するクレーンブーム１０の一部を示す。ここでは、トレイ部材２０が配置位置にあり、凹部２２を介して、センタリングピンとして構成された位置決め手段３１と協働してもよいことが示されている。互いに接近したり、ガイ支持部３０が下降することにより、センタリングピンが凹部２２に挿入され、ガイ支持部３０が横方向に外れるのを防止する。同時に、支持部も所定の位置へ移動する。
【００３６】
図５は、位置決め手段３１がトレイ部材２０の凹部２２に挿入された、ガイ支持部３０の下降状態を示している。
【００３７】
以下に、ガイ支持部３０をクレーンブーム１０に搭載する方法を説明する。
【００３８】
まず、搭載支持部３２は、ガイ支持部３０において延出している。さらに、ガイ支持部３０は、後に搭載されるブーム１０とともに、移動式クレーン１００の下部走行体４０のブラケット４１上に配置される。両ガイ支持部３０が下部走行体４０において両ガイ支持部３０用に設けられたブラケット上に位置する場合、クレーンブーム１０のトレイ部材２０が解除位置に来るよう、つまり、クレーンブーム１０に近接するよう注意する必要がある。次いで、クレーンブーム１０が完全に倒伏し、ガイ支持部３０に対して隣接した位置へ移動する。クレーンブーム１０が、クレーンブーム１０に対して横方向に隣接して設けられるガイ支持部３０と同一面上にあるとき、ガイ支持部３０は、回動可能な接続部３３を介してクレーンブーム１０に接続される。すると、回動可能な接続部３３が、油圧シリンダ又はその他の手段によってガイ支持部３０を作動位置に導くことができるため、クレーンブーム１０に対してガイ支持部３０を設置できる。ガイ支持部３０を少し展開させることで、搭載支持部３２が摺動でき、トレイ部材２０がクレーンブーム１０において両側において、配置位置へ回動できるようになる。その後、ガイ支持部３０は、これらがトレイ部材２０上に配置されるように、トレイ部材２０上へ倒伏する。位置決め手段３１とトレイ部材２０の位置決め手段３１に対応する部材との協働により、ガイ支持部３０が横方向に外れるのを防止できる。
【００３９】
ここで、従来技術とは異なり、ガイ支持部３０とクレーンブーム１０との間に別途安全装置を追加する必要がないというメリットがある。ガイやガイ支持部３０における損傷を引き起こさないために、建設現場や路上走行中における下部走行体４０の撓みは、ガイを通して伝達されない。トレイ部材２０は、位置決め手段と協働して、ガイロッドを搭載するための支持、横方向の輸送安全性確保、位置決め補助を統括する。これは、下部走行体４０の耐性や撓みとは関係なく行われる。
【図１】
2018127360.tif 000003
【図２ａ】
2018127360.tif 000004
【図２ｂ】
2018127360.tif 000005
【図２ｃ】
2018127360.tif 000006
【図３ａ】
2018127360.tif 000007
【図３ｂ】
2018127360.tif 000008
【図４】
2018127360.tif 000009
【図５】
2018127360.tif 000010
【図６】
2018127360.tif 000011
【図７】
2018127360.tif 000012
【外国語明細書】
2018127360000001.pdf